(57)【要約】      （修正有）【課題】梁柱ノードが大きい荷重を受けることができ、家屋が組立式で取り付けられる梁柱節点構成を提供する。【解決手段】プレハブ節点と、第一の接続継手と、プレハブ段２２と、第二の接続継手とを含み、第一の接続継手は第一の接続体と、第一の中間体と、プレハブ節点に一体形成された第一の嵌込体とを含み、第二の接続継手は第二の接続体と、第二の中間体と、プレハブ段に一体形成された第二の嵌込体とを含み、第一の接続体は第一の中間体の一端に設けられ、第一の嵌込体は第一の中間体の他端に設けられ、第二の接続体は第二の中間体の一端に設けられ、第二の嵌込体は第二の中間体の他端に設けられ、第一の接続体は鋼柱と複数の第一の鋼ブロックとを含み、第二の接続体は複数の第二の鋼ブロックを含み、第二の鋼ブロックに鋼柱に嵌合される鋼柱凹部が形成され、鋼柱は鋼柱空位内に挿入され、第一の鋼ブロックと第二の鋼ブロックとはボルト固定される。【選択図】図２４
2018145781.tif 000002
【特許請求の範囲】
【請求項１】
梁柱節点構成であって、プレハブ節点と、第一の接続継手と、プレハブ段と、第二の接続継手とを含み、前記第一の接続継手は第一の接続体と、第一の中間体と、前記プレハブ節点に一体形成された第一の嵌込体とを含み、前記第二の接続継手は第二の接続体と、第二の中間体と、前記プレハブ段に一体形成された第二の嵌込体とを含み、前記第一の接続体は前記第一の中間体の一端に設けられ、前記第一の嵌込体は前記第一の中間体の他端に設けられ、前記第二の接続体は前記第二の中間体の一端に設けられ、前記第二の嵌込体は前記第二の中間体の他端に設けられ、前記第一の接続体は鋼柱と前記鋼柱の円周側面に均一に分布された複数の第一の鋼ブロックとを含み、前記第二の接続体は円周方向に均一に分布された複数の第二の鋼ブロックを含み、複数の前記第二の鋼ブロックに前記鋼柱に嵌合される鋼柱凹部が形成され、前記鋼柱は前記鋼柱空位内に挿入され、相互に接触する前記第一の鋼ブロックと前記第二の鋼ブロックとはボルトによって固定され、前記第一の鋼ブロックは相互に固定される前記第一の鋼板と第一の突出鋼板とを含み、前記第一の鋼板の一端は前記鋼柱に固定され、前記第一の鋼板の他側は前記第一の突出鋼板と直交し、前記第二の鋼ブロックは相互に固定される前記第二の鋼板と第二の突出鋼板とを含み、前記第二の突出鋼板は前記第二の鋼板の一端と直交し、相互に接触する前記第一の鋼板と前記第二の鋼板とは前記ボルトに固定され、前記梁柱節点構成はさらに補強鋼板と側方ホルダーとを含み、前記側方ホルダーの一端はいずれかの前記第一の鋼板に固定され、前記側支持子の他端はこのいずれかの前記第一の鋼板と隣り合う前記第二の鋼板又は前記第一の鋼板に固定され、前記補強鋼板は前記ボルトによって前記第一の突出鋼板の端面と前記第二の突出鋼板の端面に固定され、前記第一の中間体の一端の周りは延伸鋼板から延出され、前記第一の嵌込体はH鋼状を呈しており、前記第一の嵌込体の側面に複数の鋼釘が設けられ、前記第一の中間体の端面に複数の前記鋼釘と複数本の受力鋼筋とが設けられ、前記第一の嵌込体の側面上における前記鋼釘と前記第一の中間体の端面上における前記鋼釘とは相互に直交し、前記第一の中間体と前記第二の中間体とは同様の構成を有し、前記第一の嵌込体と前記第二の嵌込体とは同様の構成を有し、前記プレハブ節点は注入形成され且つ相互に直交するプレハブ節点柱とプレハブ節点梁を含み、プレハブ段はプレハブ柱又はプレハブ梁であり、前記プレハブ節点は前記第一の接続継手と一体に注入形成され、前記プレハブ段は前記第二の接続継手と一体に注入形成され、前記第一の中間体と前記第二の中間体の間に前記第一の接続体と前記第二の接続継手を保護するための保護カバーが設けられ、前記プレハブ節点に減衰器が取り付けられ、前記減衰器は外弧板と、内弧板と、外側板と、内側板と、粘弾性材料層と、回転部品と、せん断鋼板と、第一の接続板と、第二の接続板と、滑動回転軸とを含み、第一の接続板及び第二の接続板は前記プレハブ節点に固定され、前記外弧板の一端と前記第一の接続板とは相互に固定され、前記外弧板の他端と前記第二の接続板の間に隙間が設けられ、前記内弧板の一端と前記第二の接続板とは相互に固定され、��記内弧板の他端と前記第一の接続板の間に隙間が設けられ、前記外側板は外弧板の側端面に設けられ、前記外側板と前記第二の接続板の間に隙間が設けられ、前記内側板は前記内弧板の側端面に設けられ、前記内側板と前記第一の接続板の間に隙間が設けられ、前記外側板と前記内側板がそれぞれ前記外弧板の両側に位置し、前記回転部品は回転軸と、接続鋼板と、複数個の回転鋼板とを含み、前記回転軸は前記外弧板に取り付けられ、前記接続鋼板の一端は前記回転軸と接触され、複数個の前記回転鋼板は前記接続鋼板の他端に設けられ、前記滑動回転軸は前記内弧板に回転的に取り付けられ、前記滑動回転軸に対して滑動する前記接続鋼板は前記滑動回転軸に挿通し、二枚の前記粘弾性材料層の間に前記回転鋼板又は前記せん断鋼板が設けられ、前記せん断鋼板と前記第二の接続板とは相互に固定され、前記外側板と一方の前記粘弾性材料層とは相互に固定され、前記内側板と他方の前記粘弾性材料層とは相互に固定され、前記外弧板に前記第一の回転溝が設けられ、前記回転軸は前記第一の回転溝内に設置され、前記内弧板に前記第二の回転溝が設けられ、前記滑動回転軸は前記第二の回転溝内に回転的に設置され、前記滑動回転軸に前記接続鋼板を挿通させる挿通孔が設けられ、前記接続鋼板の端部に複数の欠口が設けられ、複数個の前記回転鋼板は前記接続鋼板の欠口に嵌合され、前記接続鋼板に前記せん断鋼板を挿通させる中部欠口が設けられ、前記第一の接続板と前記第二の接続板とが回転支座によって接続され、前記回転支座は前記第一の接続板に設けられる第一の支座と前記第二の接続板に設けられる第二の支座とを含み、前記第二の支座は前記第一の支座に回転的に取り付けられる、ことを特徴とする梁柱節点構成。
【請求項２】
組立式家屋であって、前記梁柱節点構成と、プレハブ節点壁板と、プレハブ壁板とを含み、前記プレハブ節点壁板の一端は一の前記梁柱節点構成に接続され、前記プレハブ節点壁板の他端は隣り合う別の前記梁柱節点構成に接続され、前記プレハブ壁板の前後両端が前記プレハブ節点壁板に接続され、前記プレハブ壁板の側端は前記プレハブ節点壁板の側端又は隣り合う前記プレハブ壁板の側端に接続され、前記プレハブ壁板と前記プレハブ節点壁板はともに支持鋼骨に一体形成されたコンクリート板とを含み、前記支持鋼骨に前記鋼釘と前記受力鋼筋が内設され、前記支持鋼骨の周りの側壁に接続突板が設けられ、前記プレハブ節点梁の上端にプレハブ節点梁板が設けられ、前記プレハブ節点梁板の側壁に前記接続突板が設けられ、前記プレハブ節点梁板の前記接続突板と前記プレハブ節点壁板の前記接続突板とは前記接続ブロックによって固定され、前記プレハブ節点壁板の前記接続突板と前記プレハブ壁板の前記接続突板とは前記ボルトによって固定され、隣り合う二個の前記プレハブ壁板の前記接続突板は前記ボルトによって固定される、ことを特徴とする組立式家屋。
【発明の詳細な説明】
【技術分野】
【０００１】
本発明は家屋建築の分野に関し、特に一種の梁柱ノード構造と組立式家屋に関する。
【背景技術】
【０００２】
データによると、改革開放以来、中国は世界中において毎年の建築量が一番大きく、全世界におけるセメント鋼材の消費量が一番多く、産生した建築ごみの量が一番多い国であり、建物の寿命は平均で25〜30年しかない。そして、中国に広い田舎地区があり、伝統に基づいて、毎世代の人は大きい経済負担を受けて新しい家を建てる。この時、前世代の人が多く消費し建てた古い家が廃棄物になって、何の価値もない。このように繰り返すと、農村地区の家屋の寿命が短く、環境資源の圧力は大きいだけでなく、住民に大きい経済圧力をもたらした。現在、中国の都市農村建設の方式は粗く、エネルギー資源の消耗が高く、利用効率が低い。規模を重視し効率を軽視する、外観を重視し品質を軽視する、建築を重視し管理を軽視する、建築の使用寿命は設計使用年数よりもはるかに低いという問題が存在する。実情に即して都市農村建設をエコロジー、リサイクル、低炭素の科学的な発展路線に推進する必要があり、経済社会の全面的な、協調、持続可能な発展を促進する。
【０００３】
現在の材料科学と接続技術の成果に基づいて、「全組立全解体」の建築構造を実現する接続技術条件はすでに備え、ある学者も「乾接続」がプレハブ組立式コンクリート構造の今後の主な発展と研究する一つの方向だと考える。「乾接続」の研究成果は相対的に少なく、特に「全組立全解体」に関するプレハブ組立式コンクリートノード接続方式がもっと少なく、また研究する必要な問題が多くある。ある人は組立式コンクリート構造が「積み木をして遊ぶように家屋建てる、車を製造するように家屋を造る」と形容する。現在の注目点が「組立」にあり、後続の「解体と取替」に対する注目が少ない。
【０００４】
現在のほとんどのプレハブ組立式コンクリート構造の梁柱接続箇所の構成が複雑で、工事が難しく、同時にノード位置が受ける荷重が大きく複雑で、ノードが全体の軸組組立式コンクリート構造を弱くさせる。現状では、ノードを研究と応用する重点は現場打ち（濡接続）にあり、主に「強いノード」の設計目標を実現するため、「強い柱弱いはり、強いノード弱い部材」の構造耐震設計の基本原則を体現する。
【先行技術文献】
【特許文献】
【０００５】
【特許文献１】中国特許出願公開第105696705号明細書
【特許文献２】中国特許第103195172号明細書
【発明の概要】
【発明が解決しようとする課題】
【０００６】
既存の技術に存在する技術問題に対して、本発明の目的は、一種の梁柱節点構成を提供することにあり、梁柱ノードが大きい荷重を受けることができ、家屋が組立式で取り付けられる。
【課題を解決するための手段】
【０００７】
上記目的を達成するために、本発明は、以下のような態様を採用する。
【０００８】
梁柱節点構成であって、プレハブ節点と、第一の接続継手と、プレハブ段と、第二の接続継手とを含み、第一の接続継手は第一の接続体と、第一の中間体と、プレハブ節点に一体形成された第一の嵌込体とを含み、第二の接続継手は第二の接続体と、第二の中間体と、プレハブ段に一体形成された第二の嵌込体とを含み、第一の接続体は第一の中間体の一端に設けられ、第一の嵌込体は第一の中間体の他端に設けられ、第二の接続体は第二の中間体の一端に設けられ、第二の嵌込体は第二の中間体の他端に設けられ、第一の接続体は鋼柱と鋼柱の円周側面に均一に分布された複数の第一の鋼ブロックとを含み、第二の接続体は円周方向に均一に分布された複数の第二の鋼ブロックを含み、複数の第二の鋼ブロックに鋼柱に嵌合される鋼柱凹部が形成され、鋼柱は鋼柱空位内に挿入され、相互に接触する第一の鋼ブロックと第二の鋼ブロックとはボルトによって固定され、更には、第一の鋼ブロックは相互に固定される第一の鋼板と第一の突出鋼板とを含み、第一の鋼板の一端は鋼柱に固定され、第一の鋼板の他側は第一の突出鋼板と直交し、第二の鋼ブロックは相互に固定される第二の鋼板と第二の突出鋼板とを含み、第二の突出鋼板は第二の鋼板の一端と直交し、相互に接触する第一の鋼板と第二の鋼板とはボルトに固定され、梁柱節点構成はさらに補強鋼板と側方ホルダーとを含み、側方ホルダーの一端はいずれかの第一の鋼板に固定され、側支持子の他端はこのいずれかの第一の鋼板と隣り合う第二の鋼板又は第一の鋼板に固定され、補強鋼板はボルトによって第一の突出鋼板の端面と第二の突出鋼板の端面に固定され、第一鋼板と第二鋼板がボルトを通じて接続し、第一接続体と第二接続体の相互の固定を実現し、強化鋼板と側支持体が接続を強化することができ、第一接続体と第二接続体をもっと堅固に固定させる。
【０００９】
更には、第一の中間体の一端の周りは延伸鋼板から延出され、第一の嵌込体はH鋼状を呈しており、第一の嵌込体の側面に複数の鋼釘が設けられ、第一の中間体の端面に複数の鋼釘と複数本の受力鋼筋とが設けられ、第一の嵌込体の側面上における鋼釘と第一の中間体の端面上における鋼釘とは相互に直交し、第一の中間体と第二の中間体とは同様の構成を有し、延長鋼板が一部分のコンクリートを第一中間体の中に位置させ、コンクリート(プレハブノード或いはプレハブ段)が第一中間体と堅固に固定させ、注入する前に、応力鉄筋と鋼釘がと第一中間体が固定され、応力鉄筋と鋼釘が違う方向にコンクリートと固定し、全体の構造の堅固性と強度をさらに強化させる。
【００１０】
更には、プレハブノードは注入成形し互いに垂直に交差するプレハブノード柱とプレハブノードはりを含み、プレハブ段はプレハブ柱またプレハブはりで、プレハブノードが第一連結装置と一体に注入され、プレハブ段が第二連結装置と一体に注入される。注入する方式はコンクリートと連結装置の間の接続強度をもっと向上させる。
【００１１】
更には、第一の中間体と第二の中間体の間に第一の接続体と第二の接続継手を保護するための保護カバーが設けられ、外保護カバーが美観の向上と第一接続体と第二接続体を保護する作用を果たす。
【００１２】
更には、プレハブ節点に減衰器が取り付けられ、減衰器は外弧板と、内弧板と、外側板と、内側板と、粘弾性材料層と、回転部品と、せん断鋼板と、第一の接続板と、第二の接続板と、滑動回転軸とを含み、第一の接続板及び第二の接続板はプレハブ節点に固定され、外弧板の一端と第一の接続板とは相互に固定され、外弧板の他端と第二の接続板の間に隙間が設けられ、内弧板の一端と第二の接続板とは相互に固定され、内弧板の他端と第一の接続板の間に隙間が設けられ、外側板は外弧板の側端面に設けられ、外側板と第二の接続板の間に隙間が設けられ、内側板は内弧板の側端面に設けられ、内側板と第一の接続板の間に隙間が設けられ、外側板と内側板がそれぞれ外弧板の両側に位置し、回転部品は回転軸と、接続鋼板と、複数個の回転鋼板とを含み、回転軸は外弧板に取り付けられ、接続鋼板の一端は回転軸と接触され、複数個の回転鋼板は接続鋼板の他端に設けられ、滑動回転軸は内弧板に回転的に取り付けられ、滑動回転軸に対して滑動する接続鋼板は滑動回転軸に挿通し、二枚の粘弾性材料層の間に回転鋼板又はせん断鋼板が設けられ、せん断鋼板と第二の接続板とは相互に固定され、外側板と一方の粘弾性材料層とは相互に固定され、内側板と他方の粘弾性材料層とは相互に固定され、更には、外側板と内側板は相応する粘弾性材料層に変形を発生され、もっと良い制振効果を達成させる。外弧板に第一の回転溝が設けられ、回転軸は第一の回転溝内に設置され、構造が簡単で、回転組立部品の重量を積載することができ、全体の制振装置が制振効果を果たす重要な条件である。内弧板に第二の回転溝が設けられ、滑動回転軸は第二の回転溝内に回転的に設置され、接続鋼板がスライド回転軸の軸線に沿って回転し、同時に接続鋼板がスライド回転軸を相対にスライドして、最後に制振効果を達する。
【００１３】
更には、滑動回転軸に接続鋼板を挿通させる挿通孔が設けられ、接続鋼板が揺れ動く時、スライド回転軸を動かして内弧板を相対に回転する。同時に接続鋼板がスライド回転軸を相対にスライドする。接続鋼板の端部に複数の欠口が設けられ、複数個の回転鋼板は前記接続鋼板の欠口に嵌合され、接続鋼板が回転鋼板との固定方式が簡単で堅固である。接続鋼板にせん断鋼板を挿通させる中部欠口が設けられ、剪断鋼板が回転組立部品と相対変位を発生する時、剪断鋼板が接続鋼板の中部のギャップから通り抜け、剪断鋼板が接続鋼板に触れることを避ける。
【００１４】
更には、第一の接続板と第二の接続板とが回転支座によって接続され、回転支座は第一の接続板に設けられる第一の支座と第二の接続板に設けられる第二の支座とを含み、第二の支座は第一の支座に回転的に取り付けられ、家屋梁柱ノードが垂直ではない状況でも、この制振装置は適用である。
【００１５】
一種の組立式の家屋構造は、梁柱節点構成と、プレハブ節点壁板と、プレハブ壁板とを含み、プレハブ節点壁板の一端は一の梁柱節点構成に接続され、プレハブ節点壁板の他端は隣り合う別の梁柱節点構成に接続され、プレハブ壁板の前後両端がプレハブ節点壁板に接続され、プレハブ壁板の側端はプレハブ節点壁板の側端又は隣り合うプレハブ壁板の側端に接続され、プレハブ壁板とプレハブ節点壁板はともに支持鋼骨に一体形成されたコンクリート板とを含み、支持鋼骨に鋼釘と受力鋼筋が内設され、支持鋼骨の周りの側壁に接続突板が設けられ、プレハブ節点梁の上端にプレハブ節点梁板が設けられ、プレハブ節点梁板の側壁に接続突板が設けられ、プレハブ節点梁板の接続突板とプレハブ節点壁板の接続突板とは接続ブロックによって固定され、プレハブ節点壁板の接続突板とプレハブ壁板の接続突板とはボルトによって固定され、隣り合う二個のプレハブ壁板の接続突板はボルトによって固定される。
【発明の効果】
【００１６】
要約すると、本発明は以下の長点を有する。
【００１７】
本発明は梁柱接続箇所を梁段、柱段と全体がプレハブし、プレハブはりとプレハブ柱はプレハブノードで接続し、根源から組立式コンクリート軸組構造の、「強い柱弱いはり、強いノード弱い部材」の構造耐震設計の基本原則を実現する。組立式家屋の構造が簡単で、事前に工場で全体をプレハブさせることができ、工事が比較的に簡単で、大きい荷重を耐えることができる。ノード位置で制振装置を付け加えると有効的にプレハブ組立式コンクリート構造のノードの耐震性能を高めることができ、制振装置の減衰効果は顕著な拡大効果がある。第一接続板と第二接続板が少し相対回転角変位を発生する時、回転鋼板の回転を通じて、回転鋼板と粘弾性材料層に大きい相対変位を発生させ、これによりもっと良い制振効果を達する。本発明の材料が簡単で、製造しやすく、組立と解体が便利で、ヒステリシス効果が安定で、交換しやすく、重要な経済と使用価値があり、構造耐震分野に広い応用の見通しがある。
【図面の簡単な説明】
【００１８】
【図１】図1は、制振装置の正面図である。
【図２】図2は、制振装置第一方向の立体図である。
【図３】図3は、制振装置第二方向の立体図である。
【図４】図4は、第一接続板、第二接続板、粘弾性材料層、回転組立部品、スライド回転軸、剪断鋼板組立の構造概略図である。
【図５】図5は、外弧板と内弧板の構造概略図である。
【図６】図6は、回転組立部品の第一種方式の構造概略図である。
【図７】図7は、スライド回転軸、粘弾性材料層、剪断鋼板の構造概略図である。
【図８】図8は、回転組立部品の第二種方式の構造概略図である。
【図９】図9は、プレハブノード、第一連結装置、第二連結装置、プレハブ段の構造概略図ある。
【図１０】図10は、プレハブノード、応力鉄筋、第一連結装置の構造概略図である。
【図１１】図11は、第一連結装置第一方向の構造概略図である。
【図１２】図12は、第一連結装置第二方向の構造概略図である。
【図１３】図13は、プレハブ段、応力鉄筋、第二連結装置の構造概略図である。
【図１４】図14は、第二連結装置第一方向の構造概略図である。
【図１５】図15は、第二連結装置第二方向の構造概略図である。
【図１６】図16は、第一連結装置と第二連結装置組立の構造概略図である。
【図１７】図17は、第一接続体と第二接続体組立の構造概略図である。
【図１８】図18は、プレハブノードと第一連結装置が全体がプレハブされた後にその中の一種の構造概略図である。
【図１９】図19は、多くのプレハブノード、第一連結装置、第二連結装置、プレハブ段が組み立てられた後の一種の支持体系を示す図である。
【図２０】図20は、プレハブノードと制振装置が組み立てられた後の構造概略図である。
【図２１】図21は、プレハブノード、プレハブ段、プレハブノード床スラブ、プレハブ床スラブの構造概略図である。
【図２２】図22は、プレハブノード、プレハブ段、プレハブノード床スラブ、プレハブ床スラブが組み立てられた後の構造概略図である。
【図２３】図23は、プレハブノード床スラブまたプレハブ床スラブの構造概略図である。
【図２４】図24は、梁柱ノード構造、プレハブノード床スラブ、プレハブ床スラブが組み立てられた後の構造概略図である。
【発明を実施するための形態】
【００１９】
１は家屋のはり、２は家屋の柱、３は第一接続板、４は第二接続板、５は外弧板、６は内弧板、７は外側板、８は内側板、９は回転軸。１０は接続鋼板、１１は回転鋼板、１２は粘弾性材料層、１３は剪断鋼板、１４は第一回転溝、１５は第二回転溝、１６はスライド回転軸、１７はスライド回転軸の上のスルーホール、１８は接続鋼板の上の中部のギャップ、１９はプレハブノード、２０は第一連結装置、２１は第二連結装置、２２はプレハブ段、２３は外保護カバー、２４は第一埋め込み体、２５は第一中間体、２６は第一鋼ブロック、２７は鋼柱、２８は応用鉄筋、２９は鋼釘、３０は延長鋼板、３１は第一突出鋼板、３２は第一鋼板、３３は第二鋼ブロック、３４は第二中間体、３５は第二埋め込み体、３６は鋼柱空き席、３７は第二鋼板、３８は第二突出鋼板、３９は強化鋼板、４０は側支持体、４１は制振装置、４２はプレハブノード床スラブ、４３はプレハブノード梁板、４４は接続ブロック、４５はプレハブ床スラブ、４６はコンクリート板、４７は支持鉄骨、４８は連続突板である。
【００２０】
下記は図面と具体的な実施方式を結合し本発明をもっと詳しく説明する。
【００２１】
図9から図24に示されたように，梁柱節点構成と、プレハブ節点壁板と、プレハブ壁板とを含み、同じプレハブノード床スラブにとって、プレハブノード床スラブの一端は一つの梁柱ノード構造と接続し、プレハブノード床スラブのもう一端が隣接するもう一つの梁柱ノード構造と接続し、つまり隣接する二つの梁柱ノード構造がプレハブノード床スラブを通じて相互に接続する。プレハブノード床スラブとプレハブ床スラブが大体に長方形を呈して、長方形の二本の短い辺は上下両端で、長方形の二本の長い辺は側端である。プレハブ床スラブの上下両端がプレハブノード床スラブと接続し、プレハブ床スラブの側端がプレハブノード床スラブの側端または隣接するプレハブ床スラブの側端と接続する。つまりプレハブ床スラブの上端が一つのプレハブノード床スラブの側端と接続し、プレハブ床スラブの下端がもう一つのプレハブノード床スラブの側端と接続し、プレハブ床スラブの両側端が隣接するプレハブ床スラブの側端と接続する。もし端面に位置するプレハブ床スラブにとって、プレハブ床スラブの一つの側端が隣接するプレハブ床スラブの側端と接続し、プレハブ床スラブのもう一つの側端が隣接するプレハブ床スラブの側端と接続する。
【００２２】
梁柱節点構成であって、プレハブ節点と、第一の接続継手と、プレハブ段と、第二の接続継手とを含み、第一の接続継手は第一の接続体と、第一の中間体と、プレハブ節点に一体形成された第一の嵌込体とを含み、第二の接続継手は第二の接続体と、第二の中間体と、プレハブ段に一体形成された第二の嵌込体とを含み、第一の接続体は第一の中間体の一端に設けられ、第一の嵌込体は第一の中間体の他端に設けられ、第二の接続体は第二の中間体の一端に設けられ、第二の嵌込体は第二の中間体の他端に設けられ、つまり第一接続体と第一埋め込み体が別に第一中間体の両端に位置し、第二接続体が第二中間体の一端で設置され、第二埋め込み体が第二中間体のもう一端で設置され、つまり第二接続体と第二埋め込み体が別に第二中間体の両端に位置する。第一の接続体は鋼柱と鋼柱の円周側面に均一に分布された複数の第一の鋼ブロックとを含み、第二の接続体は円周方向に均一に分布された複数の第二の鋼ブロックを含み、複数の前記第二の鋼ブロックに鋼柱に嵌合される鋼柱凹部が形成され、鋼柱は前記鋼柱空位内に挿入され、相互に接触する前記第一の鋼ブロックと前記第二の鋼ブロックとはボルトによって固定され、第一接続体、第一中間体、第一埋め込み体は互いに固定される一体構造で、第二接続体、第二中間体、第二埋め込み体も互いに固定される一体構造である。
【００２３】
第一鋼ブロックは互いに固定される第一鋼板と第一突出鋼板を含み、第一鋼板と第一突出鋼板がL型構造を呈して、第一鋼板の一端は鋼柱で固定され、第一鋼板のもう一端は第一突出鋼板と垂直交差する。第二鋼ブロックは互いに固定される第二鋼板と第二突出鋼板を含み、第二鋼板と第二突出鋼板がL型構造を呈して、第二突出鋼板が第二鋼板の一端と垂直交差する。隣接する第一鋼板と第二鋼板はボルトを通じて固定される。第一鋼ブロックは四つがあり、第二鋼ブロックの数も四つである。鋼柱が鋼柱空き席に挿し込んだ後、一つの第一鋼ブロックは対応する第二鋼ブロックと立てかけ、立てかける第一鋼ブロックと第二鋼ブロックにとって、第一突出鋼板と第二突出鋼板の向きが逆である。
【００２４】
梁柱ノード構造も強化鋼板と側支持体を含み、側支持体が弧形構造を呈して、側支持体の一端はボルトを通じてある第一鋼板で固定され、側支持体のもう一端はボルトを通じてこの第一鋼板と隣接する第二鋼板また第一鋼板で固定される。つまり互いに隣接する第一鋼板と第二鋼板が一組の隣接構造を形成し、本発明の中に互いに隣接する第一鋼板と第二鋼板が四組の隣接構造を形成し、側支持体の一端はある組の隣接構造の第一鋼板で固定され、側支持体のもう一端はもう一組の隣接構造の第一鋼板また第二鋼板で固定される。互いに隣接する第一鋼板と第二鋼板にとって、第一突出鋼板と第二突出鋼板が互いに触る。補強鋼板はボルトによって第一の突出鋼板の端面と第二の突出鋼板の端面に固定される。
【００２５】
第一の中間体の一端の周りは延伸鋼板から延出され、第一の嵌込体はH鋼状を呈しており、第一の嵌込体の側面に複数の鋼釘が設けられ、第一の中間体の端面に複数の鋼釘と複数本の受力鋼筋とが設けられ、第一の嵌込体の側面上における鋼釘と第一の中間体の端面上における鋼釘とは相互に直交し、第一埋め込み体、応力鉄筋、鋼釘は第一中間体の同じ端にあり、第一の中間体と第二の中間体とは同様の構成を有し、第一の嵌込体と第二の嵌込体とは同様の構成を有し、つまり第二中間体一端の周囲に延長鋼板が伸びて、第二埋め込み体がI型鋼を呈して、第二埋め込み体の側面で多くの鋼釘が設置され、第二中間体の端面の上で多くの鋼釘と応力鉄筋が設置され、多くの鋼釘と応力鉄筋が互いに平行し、第二埋め込み体の側面の鋼釘と第二中間体端面の鋼釘と互いに直交し、第二埋め込み体、応力鉄筋、鋼釘は第二中間体の同じ端にある。
【００２６】
第一の中間体と第二の中間体の間に第一の接続体と第二の接続継手を保護するための保護カバーが設けられる。
【００２７】
プレハブノードは注入し成形されかつ互いに垂直に交差するプレハブノード柱とプレハブノード梁を含み、プレハブ段はプレハブ柱またプレハブ梁で、プレハブノードが第一連結装置と一体に注入され、プレハブ段が第二連結装置と一体に注入される。プレハブノードと第一連結装置が事前に工場で注入し成形され、つまりまずは工場で全体がプレハブされ、一つのプレハブノードは対応して多くの第一連結装置とプレハブし成形される。プレハブ柱またプレハブ梁と第二連結装置が事前に工場で注入し成形され、つまりまずは工場で全体がプレハブされ、一本のプレハブ段は対応して二つの第二連結装置とプレハブし成形される。全体をプレハブさせるプレハブノードとプレハブ段を重ね継ぎ、プレハブ梁またプレハブ柱と第二連結装置がプレハブし成形された後、同時にプレハブノードも第二接続体とプレハブし成形された後、第一接続体と第二連結装置を組み立て接続し、一つの支持体系を構成することができる。図19に示す通りである。
【００２８】
プレハブ壁板とプレハブ節点壁板はともに支持鋼骨に一体形成されたコンクリート板とを含み、支持鋼骨に鋼釘と受力鋼筋が内設され、コンクリートが鉄骨で注入され、コンクリートと支持鉄骨を一つの全体にさせ、鋼釘と応力鉄筋が接続を強化する作用を果たす。支持鋼骨の周りの側壁に接続突板が設けられ、プレハブ節点梁の上端にプレハブ節点梁板が設けられ、プレハブ節点梁板の側壁に接続突板が設けられ、プレハブ節点梁板の接続突板とプレハブ節点壁板の接続突板とは接続ブロックによって固定され、接続ブロックがプレハブノード梁板の接続突板とプレハブノード床スラブの接続突板で重ねて置いて、ボルトを通じて相互に固定される。プレハブ節点壁板の接続突板とプレハブ壁板の接続突板とはボルトによって固定され、隣り合う二個のプレハブ壁板の接続突板はボルトによって固定される、プレハブノード床スラブとプレハブ梁は一体に注入し成形される。プレハブ梁はプレハブノード床スラブを支持する。プレハブノード梁板もプレハブノード床スラブと同じ構造を使うことができる。
【００２９】
図20に示されたように、プレハブノードで一つの制振装置を取り付けることができ、全体の支持体系に衝撃吸収の効果を与える。下記に制振装置について詳しく説明する。
【００３０】
説明を分かりやすくするため、下記の方位を次のように定める。すなわち、下記の上下左右前後は、図1の投影関係の上下左右前後と一致する。
【００３１】
図1から図7に示されたように、制振装置は家屋梁柱ノードに用いて、制振装置外側曲面板、内側曲面板、外板、内板、粘弾性材料層、回転アセンブリ、せん断鋼板、第一接続板、第二接続板、外側板、内側板、粘弾性材料層、せん断鋼板を全部垂直方向に設置し、粘弾性材料層は通常扇形でり、正面から見ると、外側曲面板の円心と内側曲面板の円心が同じ点にある。第一接続板と第二接続板はプレハブノードで固定され、つまりもし第一接続板がプレハブノード柱で固定されたら、第二接続板がプレハブノード梁で固定される。外側曲面板の一端が（図1の外側曲面板の下端）第一連結板と相互固定され、外側曲面板の他端（図1の外側曲面板の上端）と第二連結板の間に隙間があり、外側曲面板と第二連結板は接触していない。内側曲面板の一端（図1の内側曲面板の上端）は第二連結板と相互固定し、内側曲面板の他端（図1の内側曲面板の下端）と第一連結板の間に隙間があり、内側曲面板と第一連結板は接触していない。外側板は、外側曲面板の側面（前面）に固定され、外板と第二接続板の間に隙間があり、外側曲面板の左側と第二接続板は接触しない。内側曲面板の側面（後面）に固定され，内板と第一接続板の間に隙間があり、内側板の下側と第一接続板は接触しない。外板と内板が外側曲面板の両側にそれぞれ位置され、すなわち、外側板は外側曲面板の前端に位置しており、内側板は外側曲面板の後に位置しており、内側板も外側板の後に位置している。回転アセンブリが回転軸、接続鋼板、マルチブロック回転鋼板を有し、接続鋼板と回転鋼板は一体に形成されている，回転軸は各鋼板に対して接続することができる。回転軸を連結鋼板と相互固定することも可能であり、外側曲面板が回転する時、外側曲面板の作用により連結鋼板がスリップシャフトをめぐって軸線回転を行い、連結鋼板がスリップシャフトに対してスライドするように、回転アセンブリーを設計しなければならない。回転軸を外側曲面板に設置し、連結鋼板の一端（図1の連結鋼板の上端）が回転軸と相互連結し、複数の回転鋼板を連結鋼板の他端（図1の連結鋼板の下端）に設置し、スリップシャフトを内側曲面板に回転自在に設置し、スリップシャフトに対してスライドする連結鋼板がスリップシャフトを貫通し、二つの粘弾性材料層の間に回転鋼板やせん断鋼板を設置し、せん断鋼板と第二連結板を相互固定し、外側板と粘弾性材料層を相互固定し、内側板と粘弾性材料層を相互固定する。粘弾性材料層と回転鋼板は、第一連結板および第二連結板と接触しない。
【００３２】
図5に示されたように、外側曲面板に第一回転槽が設置され、回転軸が第一回転槽に設置され。実際には、回転軸が外側曲面板に対して回転でき、回転軸も外側曲面板と相互固定することができる。また、外側曲面板に二つの軸受けを設置してもよく、二つの軸受けを回転軸の両端に覆設する。
【００３３】
図5に示されたように、内側曲面板に第二回転槽が設置され、スリップシャフトが回転式で第二回転槽内に設置され、内側曲面板に二つの軸受けを設置してもよく、二つの軸受けをスリップシャフトの両端に覆設する。
【００３４】
図7に示されたように、スリップシャフトに接続鋼板の貫通に用いる貫通孔があり。連結鋼板は板状であり、スリップシャフトに正方形穴を設置し、連結鋼板がスリップシャフトの正方形穴を貫通する。連結鋼板が揺れ動くと、スリップシャフトを作動させて、内側曲面板に対して回転させ、連結鋼板がスリップシャフトに対してスライドする。
【００３５】
図6に示されたように、接続鋼板の端部（図1の連結鋼板の下端)に複数のノッチ付き槽が設置され、マルチブロック回転鋼板が接続鋼板のノッチ上に象眼され、図8に示されたように、連結鋼板にノッチ付き槽を設置しなくてもよく、溶接やその他方式で連結鋼板と回転鋼板の接続部位を固定する。
【００３６】
図6に示されたように、接続鋼板にせん断鋼板の貫通に用いる中部ノッチが設置され。せん断鋼板と回転アセンブリーの間に相対変位が発生すると、せん断鋼板が連結鋼板の中部ノッチを貫通して、せん断鋼板が連結鋼板に接触することを避けられる。
【００３７】
二つの粘弾性材料層の間に一つのせん断鋼板や一つの回転鋼板を設置しなければならない、本発明では、粘弾性材料層が4個あり、せん断鋼板が1個あり、回転鋼板が2個あり、粘弾性材料層、回転鋼板、粘弾性材料層、せん断鋼板、粘弾性材料層、回転鋼板、粘弾性材料層が前から後への順に並ばれ、粘弾性材料層、せん断鋼板、回転鋼板の間の接続方式が硫化接続であり、粘弾性材料層と回転鋼板は、第一連結板および第二連結板と接触しなく、最前面の粘弾性材料層が外側板と相互固定され、最後面の粘弾性材料層が内側板と相互固定する。実際に使用する時は、実際の状況に基づいて粘弾性材料層、せん断鋼板、回転鋼板の数量を選択する。
【００３８】
通常、住宅の梁は水平に設置し、住宅の柱は垂直に設置し、住宅の梁と柱のノードが垂直の状況で、つまりプレハブノード梁が水平に設置され、プレハブノード柱が垂直に設置される。この時、第一接続板が水平に固定され、第二接続板が固定に固定される。家屋の梁に一定の傾斜角度がある時、第一接続板と第二接続板が回転支承を通じて接続することができる。回転支承は第一接続板に設置される第一支承と第二接続板に設置される第二支承を含み、第二支承が回転式で第一支承の上で取り付けられる。第一支承と第二支承の取付方式は軸と軸受の組立方式と類似しており、第一支承と第二支承はそのほかの方式を使って取り付けることができる。
【００３９】
地震が起こって、家屋の梁と家屋の柱は相対的な回転が起こる時、例えば、家屋の梁が上に回転する時、家屋の梁が上への回転変位また回転傾向が第一接続板を上に回転させ、第一接続板が外弧板を連れて上に回転し、外弧板が接続鋼板を押してスライド回転軸の軸線に沿って回転し、同時に接続鋼板がスライド回転軸と相対的にスライドする。更には回転鋼板と粘弾性材料層の間に相対角変位が発生して、せん断鋼板、回転鋼板および粘弾性材料層の三者の間に相対角変位が発生し、粘弾性材料層が変形し、粘弾性材料層が回転鋼板とせん断鋼板の間で変形し、地震エネルギーを吸収して、衝撃吸収効果を得る。外側板を第一連結板に固定し、外側板と最前面の粘弾性材料層が互いに緊密に連結しているため、第一連結板の回転によって外側板が回転し始め、最前面の粘弾性材料層が変形し、より良い衝撃吸収効果を得る。
【００４０】
また、家屋の柱が下に回転する時、家屋の柱が下への回転変位また回転傾向が第二接続板を下に回転させ、第二接続板が剪断鋼板と内弧板を連れて下に回転し、内弧板が接続鋼板を押してスライド回転軸の軸線に沿って回転し、同時に接続鋼板がスライド回転軸と相対的にスライドする。せん断鋼板、回転鋼板および粘弾性材料層の三者の間に相対角変位が発生し、粘弾性材料層が変形し、粘弾性材料層が回転鋼板とせん断鋼板の間で変形し、地震エネルギーを吸収して、衝撃吸収効果を得る。内側板を第二連結板に固定し、内側板と最後面の粘弾性材料層が互いに緊密に連結しているため、第二連結板の回転によって内側板が回転し、最後面の粘弾性材料層が変形し、より良い衝撃吸収効果を得る。
【００４１】
外側板と第二連結板の間に十分な隙間があり、内側板と第一連結板の間に十分な隙間があるため、地震が発生した時、外側板が第二連結板と接触せず、内側板が第一連結板に接触せず、ダンパーの故障を避けられる。
【００４２】
このダンパーは拡大効果があり、第一連結板と第二連結板の間に一点角変位が発生すると、回転鋼板の回転を通じて、回転鋼板と粘弾性材料層の間にかなり大きな相対角変位が発生するが、言い換えれば、回転鋼板と粘弾性材料層の間の変位が拡大され、より良い衝撃吸収効果を得る。
【００４３】
前記実施形態は、本発明のかなり優れた実施方式であるが、これら実施形態を使用した目的は、本発明を説明するためであり、本発明を限定するのではない。本発明の原則と原理を違反しないことを前提に行った変更、修正、代替、簡略化は、全部同等の置換方式として取り扱うものとし、全部本発明の保護範囲に含まれる。
【図１】
2018145781.tif 000003
【図２】
2018145781.tif 000004
【図３】
2018145781.tif 000005
【図４】
2018145781.tif 000006
【図５】
2018145781.tif 000007
【図６】
2018145781.tif 000008
【図７】
2018145781.tif 000009
【図８】
2018145781.tif 000010
【図９】
2018145781.tif 000011
【図１０】
2018145781.tif 000012
【図１１】
2018145781.tif 000013
【図１２】
2018145781.tif 000014
【図１３】
2018145781.tif 000015
【図１４】
2018145781.tif 000016
【図１５】
2018145781.tif 000017
【図１６】
2018145781.tif 000018
【図１７】
2018145781.tif 000019
【図１８】
2018145781.tif 000020
【図１９】
2018145781.tif 000021
【図２０】
2018145781.tif 000022
【図２１】
2018145781.tif 000023
【図２２】
2018145781.tif 000024
【図２３】
2018145781.tif 000025
【図２４】
2018145781.tif 000026
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
梁柱節点構成であって、プレハブ節点と、第一の接続継手と、プレハブ段と、第二の接続継手とを含み、前記第一の接続継手は第一の接続体と、第一の中間体と、前記プレハブ節点に一体形成された第一の嵌込体とを含み、前記第二の接続継手は第二の接続体と、第二の中間体と、前記プレハブ段に一体形成された第二の嵌込体とを含み、前記第一の接続体は前記第一の中間体の一端に設けられ、前記第一の嵌込体は前記第一の中間体の他端に設けられ、前記第二の接続体は前記第二の中間体の一端に設けられ、前記第二の嵌込体は前記第二の中間体の他端に設けられ、前記第一の接続体は鋼柱と前記鋼柱の円周側面に均一に分布された複数の第一の鋼ブロックとを含み、前記第二の接続体は円周方向に均一に分布された複数の第二の鋼ブロックを含み、複数の前記第二の鋼ブロックに前記鋼柱に嵌合される鋼柱凹部が形成され、前記鋼柱は前記鋼柱凹部に挿入され、相互に接触する前記第一の鋼ブロックと前記第二の鋼ブロックとはボルトによって固定され、第一の鋼ブロックは相互に固定される前記第一の鋼板と第一の突出鋼板とを含み、前記第一の鋼板の一端は前記鋼柱に固定され、前記第一の鋼板の他側は前記第一の突出鋼板と直交し、前記第二の鋼ブロックは相互に固定される第二の鋼板と第二の突出鋼板とを含み、前記第二の突出鋼板は前記第二の鋼板の一端と直交し、相互に接触する前記第一の鋼板と前記第二の鋼板とは前記ボルトに固定され、前記梁柱節点構成はさらに補強鋼板と側方ホルダーとを含み、前記側方ホルダーの一端はいずれかの前記第一の鋼板に固定され、前記側支持子の他端はこのいずれかの前記第一の鋼板と隣り合う前記第二の鋼板又は前記第一の鋼板に固定され、前記補強鋼板は前記ボルトによって前記第一の突出鋼板の端面と前記第二の突出鋼板の端面に固定され、前記第一の中間体の一端の周りは延伸鋼板から延出され、前記第一の嵌込体はH鋼状を呈しており、前記第一の嵌込体の側面に複数の鋼釘が設けられ、前記第一の中間体の端面に複数の前記鋼釘と複数本の受力鋼筋とが設けられ、前記第一の嵌込体の側面上における前記鋼釘と前記第一の中間体の端面上における前記鋼釘とは相互に直交し、前記第一の中間体と前記第二の中間体とは同様の構成を有し、前記第一の嵌込体と前記第二の嵌込体とは同様の構成を有し、前記プレハブ節点は注入形成され且つ相互に直交するプレハブ節点柱とプレハブ節点梁を含み、プレハブ段はプレハブ柱又はプレハブ梁であり、前記プレハブ節点は前記第一の接続継手と一体に注入形成され、前記プレハブ段は前記第二の接続継手と一体に注入形成され、前記第一の中間体と前記第二の中間体の間に前記第一の接続体と前記第二の接続継手を保護するための保護カバーが設けられ、前記プレハブ節点に減衰器が取り付けられ、前記減衰器は外弧板と、内弧板と、外側板と、内側板と、粘弾性材料層と、回転部品と、せん断鋼板と、第一の接続板と、第二の接続板と、滑動回転軸とを含み、第一の接続板及び第二の接続板は前記プレハブ節点に固定され、前記外弧板の一端と前記第一の接続板とは相互に固定され、前記外弧板の他端と前記第二の接続板の間に隙間が設けられ、前記内弧板の一端と前記第二の接続板とは相互に固定され、前記内弧板��他端と前記第一の接続板の間に隙間が設けられ、前記外側板は外弧板の側端面に設けられ、前記外側板と前記第二の接続板の間に隙間が設けられ、前記内側板は前記内弧板の側端面に設けられ、前記内側板と前記第一の接続板の間に隙間が設けられ、前記外側板と前記内側板がそれぞれ前記外弧板の両側に位置し、前記回転部品は回転軸と、接続鋼板と、複数個の回転鋼板とを含み、前記回転軸は前記外弧板に取り付けられ、前記接続鋼板の一端は前記回転軸と接触され、複数個の前記回転鋼板は前記接続鋼板の他端に設けられ、前記滑動回転軸は前記内弧板に回転的に取り付けられ、前記滑動回転軸に対して滑動する前記接続鋼板は前記滑動回転軸に挿通し、二枚の前記粘弾性材料層の間に前記回転鋼板又は前記せん断鋼板が設けられ、前記せん断鋼板と前記第二の接続板とは相互に固定され、前記外側板と一方の前記粘弾性材料層とは相互に固定され、前記内側板と他方の前記粘弾性材料層とは相互に固定され、前記外弧板に前記第一の回転溝が設けられ、前記回転軸は前記第一の回転溝内に設置され、前記内弧板に前記第二の回転溝が設けられ、前記滑動回転軸は前記第二の回転溝内に回転的に設置され、前記滑動回転軸に前記接続鋼板を挿通させる挿通孔が設けられ、前記接続鋼板の端部に複数の欠口が設けられ、複数個の前記回転鋼板は前記接続鋼板の欠口に嵌合され、前記接続鋼板に前記せん断鋼板を挿通させる中部欠口が設けられ、前記第一の接続板と前記第二の接続板とが回転支座によって接続され、前記回転支座は前記第一の接続板に設けられる第一の支座と前記第二の接続板に設けられる第二の支座とを含み、前記第二の支座は前記第一の支座に回転的に取り付けられる、ことを特徴とする梁柱節点構成。
【請求項２】
組立式家屋であって、請求項１に記載の梁柱節点構成と、プレハブ節点壁板と、プレハブ壁板とを含み、前記プレハブ節点壁板の一端は一の前記梁柱節点構成に接続され、前記プレハブ節点壁板の他端は隣り合う別の前記梁柱節点構成に接続され、前記プレハブ壁板の前後両端が前記プレハブ節点壁板に接続され、前記プレハブ壁板の側端は前記プレハブ節点壁板の側端又は隣り合う前記プレハブ壁板の側端に接続され、前記プレハブ壁板と前記プレハブ節点壁板はともに支持鋼骨に一体形成されたコンクリート板とを含み、前記支持鋼骨に前記鋼釘と前記受力鋼筋が内設され、前記支持鋼骨の周りの側壁に接続突板が設けられ、前記プレハブ節点梁の上端にプレハブ節点梁板が設けられ、前記プレハブ節点梁板の側壁に前記接続突板が設けられ、前記プレハブ節点梁板の前記接続突板と前記プレハブ節点壁板の前記接続突板とは前記接続ブロックによって固定され、前記プレハブ節点壁板の前記接続突板と前記プレハブ壁板の前記接続突板とは前記ボルトによって固定され、隣り合う二個の前記プレハブ壁板の前記接続突板は前記ボルトによって固定される、ことを特徴とする組立式家屋。
【手続補正２】
【補正対象書類名】明細書
【補正対象項目名】００１９
【補正方法】変更
【補正の内容】
【００１９】
１は家屋のはり、２は家屋の柱、３は第一接続板、４は第二接続板、５は外弧板、６は内弧板、７は外側板、８は内側板、９は回転軸。１０は接続鋼板、１１は回転鋼板、１２は粘弾性材料層、１３は剪断鋼板、１４は第一回転溝、１５は第二回転溝、１６は滑動回転軸、１７はスライド回転軸の上のスルーホール、１８は接続鋼板の上の中部のギャップ、１９はプレハブノード、２０は第一連結装置、２１は第二連結装置、２２はプレハブ段、２３は外保護カバー、２４は第一埋め込み体、２５は第一中間体、２６は第一鋼ブロック、２７は鋼柱、２８は受力鋼筋、２９は鋼釘、３０は延伸鋼板、３１は第一突出鋼板、３２は第一鋼板、３３は第二鋼ブロック、３４は第二中間体、３５は第二埋め込み体、３６は鋼柱空き席、３７は第二鋼板、３８は第二突出鋼板、３９は補強鋼板、４０は側方ホルダー（側支持子）、４１は減衰器、４２はプレハブノード床スラブ、４３はプレハブノード梁板、４４は接続ブロック、４５はプレハブ床スラブ、４６はコンクリート板、４７は支持鉄骨、４８は連続突板である。なお、鋼柱凹部は図示していない。